(57)【特許請求の範囲】
【請求項１】
おしり洗浄ノズル用シリンダ及び該おしり洗浄ノズル用シリンダの先端に形成されたおしり洗浄ノズル並びにビデ洗浄ノズル用シリンダ及び該ビデ洗浄ノズル用シリンダの先端に形成されたビデ洗浄ノズル並びに減圧貯水タンクとを備え、減圧貯水タンクを介して一定量の水を供給し、供給された水の一部を洗浄水用として使用し、残りの余剰水を排出する温水洗浄装置付き便器において、おしり洗浄ノズル用シリンダ及びビデ洗浄ノズル用シリンダの各々の上部付近に排水口を形成した通水プレートを設け、余剰水を余剰水ホースを通して前記減圧貯水タンクから前記通水プレート内に導入すると共に、前記余剰水を各々の排水口から排出する排出流路を前記通水プレート内に形成して成ることを特徴とする温水洗浄装置付き便器。
【請求項２】
おしり洗浄ノズル用シリンダ及びその先端に形成されたおしり洗浄ノズル並びにビデ洗浄ノズル用シリンダ及びその先端に形成されたビデ洗浄ノズル並びに減圧貯水タンクとを備え、減圧貯水タンクを介して一定量の水を供給し、供給された水の一部を洗浄水用として使用し、残りの余剰水を排出する温水洗浄装置付き便器において、前記余剰水をおしり洗浄ノズル用シリンダ又はビデ洗浄ノズル用シリンダの少なくとも一方に導入し、これらの少なくとも一方の内部を通過させて、おしり洗浄ノズル用シリンダ又はビデ洗浄ノズル用シリンダの先端部から排出させて成ることを特徴とする温水洗浄装置付き便器。
【発明の詳細な説明】
【０００１】
【発明の属する技術分野】
本発明は、温水洗浄装置付き便器に関するものである。
【０００２】
【従来の技術】
従来のこの種のものとしては、水道管より水道水を分岐し、それを洗浄水として使用する温水洗浄装置付き便器が知られている。この場合、水道水の圧力を下げるため減圧貯水タンクを設置し、減圧貯水タンクを介して洗浄水を供給している。
【０００３】
【発明が解決しようとする課題】
しかし、上記従来例では、洗浄水の使用量が多い場合でも給水不足によるエア噛みを防止するため供給する水の量を多めに設定している。このため、洗浄水として使用される量以上の水が供給され、洗浄水として使用される以外の余剰水を直接便器内に誘導し排出していた。この場合、使用者にとっては、排出される水が非常に無駄なものと感じられ、また排出される水が便器内に溜まっている水に当たる際に水が跳ねる音が発生するため、不快感を与えるという不都合があった。
【０００４】
本発明はこの点に鑑みてなされたものであり、余剰水を直接便器内に誘導し排出せず有効活用することができる温水洗浄装置付き便器を提供することを目的とするものである。
【０００５】
【課題を解決するための手段】
本発明の請求項１記載の温水洗浄装置付き便器は、おしり洗浄ノズル用シリンダ及び該おしり洗浄ノズル用シリンダの先端に形成されたおしり洗浄ノズル並びにビデ洗浄ノズル用シリンダ及び該ビデ洗浄ノズル用シリンダの先端に形成されたビデ洗浄ノズル並びに減圧貯水タンクとを備え、減圧貯水タンクを介して一定量の水を供給し、供給された水の一部を洗浄水用として使用し、残りの余剰水を排出する温水洗浄装置付き便器において、おしり洗浄ノズル用シリンダ及びビデ洗浄ノズル用シリンダの各々の上部付近に排水口を形成した通水プレートを設け、余剰水を余剰水ホースを通して前記減圧貯水タンクから前記通水プレート内に導入すると共に、前記余剰水を各々の排水口から排出する排出流路を前記通水プレート内に形成して成ることを特徴とするものである。
【０００６】
ここに、減圧貯水タンクとは、水道管より水道水を分岐し、一定量の水道水を圧力を下げた状態でためておき、それを洗浄水用として使用するための貯水タンクである。通水プレートとは、通水機能を有する流路を形成したものであり、必ずしも板状である必要はない。
【０００７】
本発明の請求項２記載の温水洗浄装置付き便器は、おしり洗浄ノズル用シリンダ及びその先端に形成されたおしり洗浄ノズル並びにビデ洗浄ノズル用シリンダ及びその先端に形成されたビデ洗浄ノズル並びに減圧貯水タンクとを備え、減圧貯水タンクを介して一定量の水を供給し、供給された水の一部を洗浄水用として使用し、残りの余剰水を排出する温水洗浄装置付き便器において、前記余剰水をおしり洗浄ノズル用シリンダ又はビデ洗浄ノズル用シリンダの少なくとも一方に導入し、これらの少なくとも一方の内部を通過させて、おしり洗浄ノズル用シリンダ又はビデ洗浄ノズル用シリンダの先端部から排出させて成ることを特徴とするものである。
【０００８】
【発明の実施の形態】
図１は本発明の一の実施形態である温水洗浄装置付き便器の平面図である。図２は同実施形態である温水洗浄装置付き便器の要部斜視図である。図３は同実施形態である温水洗浄装置付き便器の要部側面図である。図４は同実施形態である温水洗浄装置付き便器の要部分解斜視図である。
【０００９】
図１乃至図４に示すように、この温水洗浄装置付き便器は、おしり洗浄ノズル用シリンダ２及び該おしり洗浄ノズル用シリンダ２の先端に形成されたおしり洗浄ノズル１並びにビデ洗浄ノズル用シリンダ４及び該ビデ洗浄ノズル用シリンダ４の先端に形成されたビデ洗浄ノズル３並びに減圧貯水タンク５を備え、減圧貯水タンク５を介して一定量の水を供給し、供給された水の一部を洗浄水用として使用し、残りの余剰水を排出する温水洗浄装置付き便器において、おしり洗浄ノズル用シリンダ２及びビデ洗浄ノズル用シリンダ４の上部付近に排水口１１を形成した通水プレート６を設け、余剰水を前記通水プレート６内に導入し、通水プレート６の排水口１１からおしり洗浄ノズル用シリンダ２及びビデ洗浄ノズル用シリンダ４の各々の上方から排出することとしている。
【００１０】
また、減圧貯水タンク５と通水プレート６とは余剰水ホース７で連結されており、余剰水は余剰水ホース７を通して減圧貯水タンク５から通水プレート６に導入されることとしている。通水プレート６は板状であり、おしり洗浄ノズル用シリンダ２及びビデ洗浄ノズル用シリンダ４の上部付近に配置され、便器本体８に適切に取り付けられており、その内部に導入された余剰水をおしり洗浄ノズル用シリンダ２の上方に排出する排出口１１ａ及びビデ洗浄ノズル用シリンダ４の上方に排出する排出口１１ｂを形成すると共に排出口１１ａ及び１１ｂから排出するための排出流路１０を通水プレート６内に形成している。
【００１１】
このように、おしり洗浄ノズル用シリンダ２及びビデ洗浄ノズル用シリンダ４の各々の上部付近に排出口１１ａ及び１１ｂを形成すると共に、排出流路１０を形成することにより、余剰水をおしり洗浄ノズル用シリンダ２及びビデ洗浄ノズル用シリンダ４の各々の上方に確実に排出することができる。
【００１２】
おしり洗浄ノズル用シリンダ２の上方に排出された余剰水はおしり洗浄ノズル用シリンダ２を洗浄し、さらにおしり洗浄ノズル１に向かって流れ、おしり洗浄ノズル１をも洗浄する。ビデ洗浄ノズル用シリンダ４の上方に排出された余剰水はビデ洗浄ノズル用シリンダ４を洗浄し、さらにビデ洗浄ノズル３に向かって流れ、ビデ洗浄ノズル３をも洗浄する。
【００１３】
通水プレート６の材質は金属、プラスチック等を使用できる。以下にこの温水洗浄装置付き便器の使用方法について説明する。用便を行った後、おしり又はビデ洗浄を行う。この場合温水タンクからポンプによりおしり洗浄ノズル１に供給される洗浄水によりおしり洗浄が行われ、ビデ洗浄ノズル３に供給される洗浄水によりビデ洗浄が行われるが、温水タンクの温水が洗浄に使用されると減圧貯水タンク５から温水タンクにおしり洗浄等に使用された温水と略同量の水が供給される。
【００１４】
このように、ポンプを使用して温水タンクから温水を供給する構成とることにより、温水タンクに供給される水を一定の圧力に保つ必要があるため減圧貯水タンク５が設置されている。
【００１５】
減圧貯水タンク５から温水タンクにおしり洗浄等に使用された温水と略同量の水が供給された直後に、減圧貯水タンク５が空の状態から満水になるまでの量の水が供給される。このときに、減圧貯水タンク５内に貯えられたていた水から温水タンクに供給された水の残りの余剰水が、減圧貯水タンク５から溢れる。
【００１６】
即ち減圧貯水タンク５内には満水状態で水が貯えられており、この水は一部は温水タンクに供給される。減圧貯水タンク５から一部の水が温水タンクに供給されると、減圧貯水タンク５が空の状態から満水になるだけの量の水が供給される。そこで、減圧貯水タンク５内に貯えられていた水から温水タンクに供給された残りの水は余剰水として減圧貯水タンク５から溢れることになる。
【００１７】
そして、減圧貯水タンク５から溢れた余剰水は、余剰水ホース７を通して通水プレート６に導入され、排出流路１０を通じて、排水口１１ａからおしり洗浄ノズル用シリンダ２の上方に排出され、排水口１１ｂからビデ洗浄ノズル用シリンダ４の上方に排出され、おしり洗浄ノズル１及びおしり洗浄ノズル用シリンダ２並びにビデ洗浄ノズル３及びビデ洗浄ノズル用シリンダ４を洗浄する。
【００１８】
このように、洗浄水として使用される以外の余剰水を通水プレート６に導入することにより、余剰水ホース７で便器内に誘導し、そのまま排出せず有効活用することができる温水洗浄装置付き便器を提供することができる。そして、余剰水をおしり洗浄ノズル用シリンダ２及びビデ洗浄ノズル用シリンダ４の各々の上方に排出することにより、おしり洗浄ノズル１等を洗浄するのでこれらに汚物が付着しにくく、これらを清潔な状態に保つことができる。
【００１９】
図５は本発明の別の実施形態である温水洗浄装置付き便器の要部斜視図である。この温水洗浄装置付き便器は図１乃至図４に示される温水洗浄装置付き便器と類似しているが、余剰水を通水プレート６に導入せず、おしり洗浄ノズルシリンダ２内部に導入している点が異なる。
【００２０】
即ち、減圧貯水タンク５から溢れた余剰水は、余剰水ホース７を通しておしり洗浄ノズル用シリンダ２内部に導入され、おしり洗浄ノズル用シリンダ２内部を通過して、おしり洗浄ノズル用シリンダ２の先端部から排出される。排出された余剰水はおしり洗浄ノズル１に向かって流れる。これにより、洗浄ノズル用シリンダ２と洗浄ノズル１を洗浄する。
【００２１】
さらに洗浄ノズル用シリンダ２及びビデ洗浄ノズル用シリンダ４は連通管９によって、連通されており、洗浄ノズル用シリンダ２内部に導入された余剰水は、ビデ洗浄ノズル用シリンダ４内部にも導入され、ビデ洗浄ノズル用シリンダ４の先端部から排出されビデ洗浄ノズル用シリンダ４及びビデ洗浄用ノズル３を洗浄する。
【００２２】
その他の構成は図１乃至図４の場合と同様であり、図１乃至図４の場合と同様の効果を奏するが、この場合はさらに通水プレート６が不要である。
【００２３】
【発明の効果】
本発明の請求項１記載の温水洗浄装置付き便器は、余剰水を通水プレートに導入することにより、便器内に直接排出せず有効活用することができる温水洗浄装置付き便器を提供することができる。そして、余剰水をおしり洗浄ノズル用シリンダ及びビデ洗浄ノズル用シリンダの各々の上方に排出することにより、おしり洗浄ノズル等を洗浄するのでこれらに汚物が付着しにくく、これらを清潔な状態に保つことができる。
【００２４】
本発明の請求項２記載の温水洗浄装置付き便器は、余剰水を洗浄ノズル用シリンダ内部に導入することにより、通水プレートを使用せずに余剰水を便器内に直接排出せず有効活用することができる温水洗浄装置付き便器を提供することができる。そして、おしり等洗浄中におしり洗浄ノズル等を洗浄するのでこれらに汚物が付着しにくく、これらを清潔な状態に保つことができる。
【図面の簡単な説明】
【図１】本発明の一の実施形態である温水洗浄装置付き便器の平面図である。
【図２】同上実施形態である温水洗浄装置付き便器の要部斜視図である。
【図３】同上実施形態である温水洗浄装置付き便器の要部側面図である。
【図４】同上実施形態である温水洗浄装置付き便器の要部分解斜視図である。
【図５】本発明の別の実施形態である温水洗浄装置付き便器の要部側面図である。
【符号の説明】
１  おしり洗浄ノズル
２  おしり洗浄ノズル用シリンダ
３  ビデ洗浄ノズル
４  ビデ洗浄ノズル用シリンダ
５  減圧貯水タンク
６  通水プレート
７  余剰水ホース
１０  排出流路
１１  排水口
【図１】
0003557755.tif 000002
【図２】
0003557755.tif 000003
【図３】
0003557755.tif 000004
【図４】
0003557755.tif 000005
【図５】
0003557755.tif 000006